(57)【要約】【課題】外部からアンカーボルトを緩めることを防止できながら、据付作業を行い易く、さらに、極めて太径の特殊なレベルボルトを用いなくても済む自動販売機の据付装置および据付方法を提供する。【解決手段】自動販売機本体１を下方から支えるレベルボルト２に係合される固定用金具３に、アンカーボルト４の頭部を外周側より囲むカバー部２０を固定し、自動販売機本体１の底板５におけるアンカーボルト４の頭部上方位置に、アンカーボルト４を回転させる工具２１を差し込むための貫通孔１ａを形成する。これにより、アンカーボルト４の頭部がカバー部２０によって外周側から囲まれるので、外部からアンカーボルト４を緩めることを防止できる。【選択図】    図１
2004318293.tif 000002
【特許請求の範囲】
【請求項１】
自動販売機本体を下方から支えるレベルボルトと、このレベルボルトに係合され、自動販売機を据え付ける据付面における自動販売機本体の下方位置にアンカーボルトにより固定される固定金具と、この固定金具に固定され、アンカーボルトの頭部を外周側より囲むカバー部と、自動販売機本体の底板におけるアンカーボルトの頭部上方位置に形成され、アンカーボルトを回転させる工具を差し込むための貫通孔とを備えたことを特徴とする自動販売機の据付装置。
【請求項２】
自動販売機本体を下方から支えるレベルボルトと、このレベルボルトに係合され、自動販売機を据え付ける据付面における自動販売機本体の下方位置にアンカーボルトにより固定される固定金具と、自動販売機本体の底板からアンカーボルトの頭部の周囲箇所を覆うように下方に延びるカバー部とを備えたことを特徴とする自動販売機の据付装置。
【請求項３】
カバー部が自動販売機本体の内部で着脱可能に取り付けられていることを特徴とする請求項２記載の自動販売機の据付装置。
【請求項４】
自動販売機本体の底板に複数または１つ割り形状の異形孔を形成し、異形孔間部分または１つ割り形状の異形孔端部間部分を切断して連続させ大きな貫通孔を形成することで、この貫通孔を、アンカーボルトを回転させる工具を自動販売機本体内から差し込む工具差込用貫通孔として用いたり、アンカーボルトの頭部を外周側より囲むカバー部を自動販売機本体内から差し込んで取り付ける貫通孔として用いたりすることを特徴とする自動販売機の据付方法。
【発明の詳細な説明】
【０００１】
【発明の属する技術分野】
本発明は、自動販売機の据付装置および据付方法に関するものである。
【０００２】
【従来の技術】
自動販売機には、この自動販売機を所定位置に安定して据え付ける据付装置が備えられている。
【０００３】
一般的な従来の据付装置は、図５〜図７に示すように、自動販売機本体１の脚部としてのレベルボルト２と、レベルボルト２を据付面６に固定するための固定用金具３およびアンカーボルト４とから構成されている。
【０００４】
レベルボルト２は、自動販売機本体１の底板５に螺合した状態で取り付けられ、底板５における四隅箇所などの複数箇所にそれぞれ配設されている。レベルボルト２は、自動販売機本体１の底板５に螺合するねじ軸部２ａと、ねじ軸部２ａの下端に一体的に固定されてレベルボルト２を回転させるための六角ナット部２ｂと、六角ナット部２ｂの下方に一体的に固定されて、据付面６に実際に着座する円盤状の着座部２ｃとから構成されている。そして、このレベルボルト２をスパナやモンキーレンチなどの工具で回転させることで、レベルボルト２の自動販売機本体１からの下方の突出高さを調整して、自動販売機を良好な姿勢（自動販売機本体１の底板５などが水平姿勢となるような姿勢）に保持するようになっている。
【０００５】
また、固定用金具３には、その一端寄り側に、アンカーボルト４が挿通される挿通孔３ａが形成されているとともに、他端側に、レベルボルト２を係合させる係合溝３ｂが形成されている。また、アンカーボルト４は、六角ボルト部４ａと、この六角ボルト部４ａがねじ込まれることにより下部が据付箇所で広がって固定するアンカー部４ｂと、固定金具３に当接するワッシャ４ｃとから構成されている。
【０００６】
この据付装置を用いて自動販売機を据え付ける作業は以下のようにして行われる。まず、据付面６にアンカーボルト４を打ち込むための孔６ａを穿孔しておく。次に、据付面６に自動販売機を置くとともに、各固定用金具３の係合溝３ｂを、自動販売機の底部にねじ込まれているレベルボルト２にそれぞれ係合させ、固定用金具３の他端を、自動販売機本体１の下方位置よりも外側に配置する。そして最後に、固定用金具３の上方からアンカーボルト４を据付面６の孔６ａに挿入するとともにアンカーボルト４の六角ボルト部４ａをアンカー部４ｂにねじ込んで、アンカーボルト４および固定用金具３を据付面６に固定している。
【０００７】
しかし、このような従来構成の据付装置では、アンカーボルト４の六角ボルト部４ａ頭部が外部に露出しているうえ、この六角ボルト部４ａ頭部は前記のような工具で回転させることができるため、部外者でも工具を用いて六角ボルト部４ａを外し、固定用金具３を外すことで、レベルボルト２の着座部２ｃを据付面６より浮かすことが可能であった。そのため、このような状態で、自動販売機本体１を揺らして悪戯されたり、あるいは、自動販売機本体１を揺らして自動販売機本体１内の商品を商品取出口に落下させて盗まれたりするおそれがあった。
【０００８】
このような問題に対処した自動販売機の据付装置として、特許文献１に開示されたものがある。この据付装置は、図８、図９に示すように、レベルボルト１０として極めて太径のものを用いるとともに、レベルボルト１０の着座部１０ｃ中央に、アンカーボルト１１を挿通させるための挿通孔１０ｄを形成している。そして、据付面６に予め穿孔した孔６ａに、レベルボルト１０およびアンカーボルト１１が位置するように自動販売機を設置した後に、自動販売機本体１の内側から、ボックスレンチなどの工具をレベルボルト１０内に差し込んでアンカーボルト１１を回転させることで、アンカーボルト１１およびレベルボルト１０を据付面６に固定するようになっている。
【０００９】
この自動販売機の据付装置によれば、アンカーボルト１１の頭部がレベルボルト１０によって外側から囲まれているので、据付け後には自動販売機本体１を開けなければ、アンカーボルト１１を緩めることができず、これにより、レベルボルト１０の着座部１１ｃを据付面６より浮かすことを阻止できて、自動販売機の防犯機能などを向上させることができる。
【００１０】
【特許文献１】
特開平６−１３９４４７号公報（図４および図５）
【００１１】
【発明が解決しようとする課題】
しかしながら、上記図８、図９に示す自動販売機の据付装置においても、予め据付面６には予めアンカーボルト１１を挿入するための孔６ａを穿孔しなければならないが、この孔６ａが、レベルボルト１０の直下位置に正確に位置決めさせなければならないため、孔６ａの位置がずれていた場合には、再度、穿孔作業を行わなければならないなど、作業性が悪い。また、極めて太径の特殊なレベルボルトを用いなければならないため、製造コストが高くなる課題もある。
【００１２】
本発明は上記課題を解決するもので、外部からアンカーボルトを緩めることを防止できながら、据付作業を行い易く、さらに、極めて太径の特殊なレベルボルトを用いなくても済む自動販売機の据付装置および据付方法を提供することを目的とするものである。
【００１３】
【課題を解決するための手段】
上記課題を解決するために本発明の請求項１記載の自動販売機の据付装置は、自動販売機本体を下方から支えるレベルボルトと、このレベルボルトに係合され、自動販売機を据え付ける据付面における自動販売機本体の下方位置にアンカーボルトにより固定される固定金具と、この固定金具に固定され、アンカーボルトの頭部を外周側より囲むカバー部と、自動販売機本体の底板におけるアンカーボルトの頭部上方位置に形成され、アンカーボルトを回転させる工具を差し込むための貫通孔とを備えたことを特徴とする。
【００１４】
請求項２記載の自動販売機の据付装置は、自動販売機本体を下方から支えるレベルボルトと、このレベルボルトに係合され、自動販売機を据え付ける据付面における自動販売機本体の下方位置にアンカーボルトにより固定される固定金具と、自動販売機本体の底板からアンカーボルトの頭部の周囲箇所を覆うように下方に延びるカバー部とを備えたことを特徴とする。なお、カバー部は、自動販売機本体の内部で着脱可能に取り付けられていることが望ましい。
【００１５】
これらの請求項１、２に記載の構成によれば、アンカーボルトの頭部がカバー部によって外周側から囲まれるので、外部からアンカーボルトを緩めることを防止できる。また、アンカーボルトにより固定される固定金具は、レベルボルトに係合させた状態で位置変更可能であるので、工具差込用貫通孔に工具を差し込める範囲内で、アンカーボルトを挿入するための孔の穿孔位置に応じて固定金具の位置を変更することができ、据付作業が行い易くなる。さらに、極めて太径の特殊なアンカーボルトを用いなくても済む。
【００１６】
また、請求項４記載の自動販売機の据付方法は、自動販売機本体の底板に複数または１つ割り形状の異形孔を形成し、異形孔間部分または１つ割り形状の異形孔端部間部分を切断して連続させ大きな貫通孔を形成することで、この貫通孔を、アンカーボルトを回転させる工具を自動販売機本体内から差し込む工具差込用貫通孔として用いたり、アンカーボルトの頭部を外周側より囲むカバー部を自動販売機本体内から差し込んで取り付ける貫通孔として用いたりすることを特徴とする。
【００１７】
この方法によれば、アンカーボルトの頭部を外周側より囲むカバー部を、固定金具や自動販売機本体の底板に設ける場合には、異形孔間部分または１つ割り形状の異形孔端部間部分を切断して連続させ大きな貫通孔を形成する。一方、アンカーボルトの頭部を外周側より囲むカバー部が設けられていない従来型のものを用いる場合には、無用の大きな貫通孔を形成しなくても済むため、ねずみなどの小動物の侵入を防止できる。
【００１８】
【発明の実施の形態】
以下、本発明の実施の形態に係る自動販売機の据付装置を図面に基づき説明する。なお、従来の自動販売機の据付装置の構成要素と同機能のものには同符号を付してその説明は省略する。
【００１９】
図１、図２に示すように、この自動販売機の据付装置は、自動販売機本体１を下方から支える高さ調整自在のレベルボルト２と、このレベルボルト２に係合され、自動販売機を据え付ける据付面６における自動販売機本体１の下方位置にアンカーボルト４により固定される固定金具３と、この固定金具３に固定され、アンカーボルト４の頭部４ｆを外周側より囲むカバー部２０と、自動販売機本体１の底板５におけるアンカーボルト４の頭部４ｆ上方位置に形成され、アンカーボルト４を回転させるボックスレンチなどからなる工具２１を差し込むための貫通孔１ａとを備えている。
【００２０】
ここで、カバー部２０は、固定金具３の挿通孔３ａを外周側から囲むように上面部に固定され、前記工具２１を上方から差し込める大きさであれば、図２に示すように、丸形に限るものではなく、矩形やその他の形状でもよい。また、アンカーボルト４は一般に用いられているものと同様の、径が大きくないものが用いられている。
【００２１】
この据付装置を用いて自動販売機を据え付ける作業は以下のようにして行われる。まず、据付面６にアンカーボルト４を打ち込むための孔６ａを穿孔しておく。次に、据付面６に自動販売機を設置するとともに、各固定用金具３の係合溝３ｂを、自動販売機の底部にねじ込まれているレベルボルト２にそれぞれ係合させ、固定用金具３の他端を、自動販売機本体１の底板５における貫通孔１ａの直下位置に配置する。そして最後に、自動販売機本体１の内側から貫通孔１ａを通して、据付面６の孔６ａにアンカーボルト４を挿入させるとともにボックスレンチなどからなる工具２１を差し込み、この工具２１をアンカーボルト４の六角ボルト部４ａに係合させて回転させる。これにより、アンカーボルト４の六角ボルト部４ａがアンカー部４ｂにねじ込まれて、アンカーボルト４および固定用金具３が据付面６に固定される。
【００２２】
この構成によれば、アンカーボルト４の頭部４ｆがカバー部２０によって外周側から囲まれるので、外部からアンカーボルト４を緩めることを防止できる。この結果、固定用金具３も固定された状態に良好に保持され、従来のように、自動販売機本体１を揺らして悪戯されたり、あるいは、自動販売機本体１を揺らして自動販売機本体１内の商品を商品取出口に落下させて盗まれたりすることを防止できて、良好な防盗機能を維持できる。
【００２３】
また、アンカーボルト４により固定される固定金具３は、レベルボルト２に係合させた状態で回動するなどして位置変更可能であるので、自動販売機本体１の工具差込用貫通孔１ａを大きめに形成しておけば、アンカーボルト４を挿入するための孔６ａの穿孔位置が厳密に合っていなくても、自動販売機本体１の工具差込用貫通孔１ａにボックスレンチなどの工具２１を差し込める範囲内で固定金具３の位置を変更することができ、支障なくアンカーボルト４および固定金具３を固定できて、据付作業が行い易くなり、作業能率が向上する。さらに、一般のレベルボルト２を使用するので、極めて太径の特殊なレベルボルトを用いなくても済み、製造コストの増加も最小限に抑えられる。
【００２４】
なお、図３（ａ），（ｂ）に示すように、自動販売機本体１の底板５に、工具差込用の貫通孔１ａを形成するための複数の異形孔１ｂ（または図３（ｃ）に示すように、１箇所だけでつながった１つ割り形状の異形孔１ｂでもよい）を、貫通孔１ａの外形に沿う辺となるように形成してもよい。この場合には、上記構成のカバー部２０を有する固定金具３を使用する場合にだけ、異形孔１ｂの端部間部分を切断して連続させ大きな貫通孔１ａを形成する。そして、この貫通孔１ａを、アンカーボルト４を回転させる工具２１を自動販売機本体１内から差し込む工具差込用の貫通孔１ａとして用いる。一方、カバー部２０を有しない従来型の固定金具３を用いる場合には、異形孔１ｂの端部間を切断せずに、工具差込用の貫通孔１ａを形成しないでおく。これにより、無用の大きな貫通孔１ａを形成せずに済み、ねずみなどの小動物の侵入を防止できる。また、異形孔１ｂや貫通孔１ａから自動販売機本体１内に虫などが入り込むことを完全に防止する場合には、糊付けしたシール紙などを貼って蓋をしておけばよい。
【００２５】
次に、図４（ａ），（ｂ）は、本発明の他の実施の形態に係る自動販売機の据付装置を示すものである。これらの図に示すように、この自動販売機の据付装置では、アンカーボルト４の頭部４ｆを外周側より囲むカバー部２０が、固定金具３に設けられる代わりに、自動販売機本体１の底板５における貫通孔１ａが設けられている壁面から下方に延びるように、底板５の上面側からねじ２２で取り付けられている。
【００２６】
この構成によっても、上記実施の形態と同様に、アンカーボルト４の頭部４ｆがカバー部２０によって外周側から囲まれるので、外部からアンカーボルト４を緩めることを防止でき、良好な防盗機能を維持できる。また、据付作業時に固定金具３は位置変更可能であるので、自動販売機本体１の工具差込用貫通孔１ａならびにカバー部２０を大きめに形成しておけば、アンカーボルト４を挿入するための孔６ａの穿孔位置が厳密に合っていなくても、固定金具３の位置を変更することができ、据付作業が行い易く、さらに、一般のレベルボルト２を使用するので、極めて太径の特殊なレベルボルトを用いなくても済み、製造コストの増加も最小限に抑えられる。
【００２７】
この据付装置を用いて自動販売機を据え付ける作業は上記実施の形態と同様の作業手順で行うことができるが、これに限るものではなく、以下の作業手順で行ってもよい。
【００２８】
すなわち、まず、据付面６にアンカーボルト４を打ち込むための孔６ａを穿孔しておく。次に、据付面６に自動販売機を設置するが、この際には、カバー部２０を自動販売機本体１の底板５から取り外しておく。そして、各固定用金具３の係合溝３ｂを、自動販売機の底部にねじ込まれているレベルボルト２にそれぞれ係合させ、固定用金具３の他端を、自動販売機本体１の底板５における貫通孔１ａの直下位置に配置する。そして、据付面６の孔６ａにアンカーボルト４を挿入させるとともにスパナやモンキーレンチなどの一般工具をアンカーボルト４の六角ボルト部４ａの頭部４ｆに係合させて回転させる。これにより、アンカーボルト４の六角ボルト部４ａがアンカー部４ｂにねじ込まれて、アンカーボルト４および固定用金具３が据付面６に固定される。さらに、最後に、カバー部２０を自動販売機本体１の底板５にねじ２２で取り付ける。なお、カバー部２０により囲む部分の面積は、アンカーボルト４の頭部４ｆよりも十分大きくしておけばよく、これにより据付面６の孔６ａとカバー部２０との相対位置が少々くるっても支障なくアンカーボルト４および固定用金具３を取り付けることができる。
【００２９】
上記のように、最後にカバー部２０を取り付ければよいので、アンカーボルト４の固定作業を、自動販売機本体１の工具差込用貫通孔１ａにボックスレンチなどの工具２１を差し込んで行わなくても済んで、従来どおりスパナやモンキーレンチなどの一般工具を用いながらアンカーボルト４の外側から行うことができ、据付作業を一層容易に行うことができて、作業能率がさらに向上する。
【００３０】
なお、この実施の形態においても、カバー部２０の形状は平面視して矩形に限るものではなく、丸形やその他の形状でもよい。また、この実施の形態においても、図３（ａ），（ｂ）に示すような複数の異形孔１ｂ（または１つ割り形状の異形孔１ｂでもよい）を、貫通孔１ａの外形に沿う辺となるように形成し、上記構成のカバー部２０を取り付ける場合にだけ、異形孔１ｂの端部間部分を切断して連続させ大きな貫通孔１ａを形成し、この貫通孔１ａを、アンカーボルト４の頭部４ｆを外周側より囲むカバー部２０を自動販売機本体１内から差し込んで取り付ける貫通孔１ａとして用いる。一方、カバー部２０を有しない従来型の底板５を用いる場合には、異形孔１ｂの端部間を切断せずに、工具差込用の貫通孔１ａを形成しないでおく。これにより、無用の大きな貫通孔１ａを形成せずに済み、ねずみなどの小動物の侵入を防止できる。
【００３１】
【発明の効果】
以上のように本発明によれば、アンカーボルトの頭部を外周側より囲むカバー部を、固定金具に固定したり、自動販売機本体の底板から下方に延設したりすることにより、外部からアンカーボルトを緩めることを防止できるので、自動販売機本体を揺らして悪戯されたり、あるいは、自動販売機本体を揺らして商品を商品取出口に落下させたりすることを防止できて、良好な防盗機能を維持できる。また、アンカーボルトにより固定される固定金具が、レベルボルトに係合させた状態で回動するなどして位置変更可能であるので、工具差込用の貫通孔を大きめに形成しておけば、アンカーボルトを挿入するための孔の穿孔位置が厳密に合っていなくても、アンカーボルトを挿入するための孔の穿孔位置に応じて固定金具の位置を変更して、アンカーボルトおよび固定用金具を取り付けることができ、据付作業が行い易くなって、作業能率が向上する。さらに、一般のレベルボルトを使用するので、製造コストの増加も最小限に抑えられる。
【００３２】
また、自動販売機本体の底板からアンカーボルトの頭部の周囲箇所を覆うように下方に延びるカバー部を備え、カバー部を自動販売機本体の内部で着脱可能に取り付けることにより、従来どおりスパナやモンキーレンチなどの一般工具を用いながらアンカーボルトの外側から行うことができ、据付作業を一層容易に行うことができて、作業能率がさらに向上する。
【００３３】
また、自動販売機本体の底板に複数または１つ割り形状の異形孔を形成し、異形孔間部分または１つ割り形状の異形孔端部間部分を切断して連続させ大きな貫通孔を形成することで、この貫通孔を、アンカーボルトを回転させる工具を自動販売機本体内から差し込む工具差込用貫通孔として用いたり、アンカーボルトの頭部を外周側より囲むカバー部を自動販売機本体内から差し込んで取り付ける貫通孔として用いたりすることができる。一方、アンカーボルトの頭部を外周側より囲むカバー部が設けられていない従来型のものを用いる場合には、無用の大きな貫通孔を形成しなくても済み、大きな貫通孔から自動販売機本体内にねずみなどの小動物が入り込むことを防止でき、また、虫などが入り込むことも最小限に抑えることができる。
【図面の簡単な説明】
【図１】（ａ）および（ｂ）は本発明の実施の形態にかかる自動販売機の据付装置の平面断面図および側面断面図である。
【図２】（ａ）および（ｂ）は同据付装置の固定金具の平面図および側面断面図である。
【図３】（ａ）〜（ｃ）はそれぞれ本発明の実施の形態にかかる自動販売機の据付方法に用いる自動販売機本体底板の平面図である。
【図４】（ａ）および（ｂ）は本発明の他の実施の形態にかかる自動販売機の据付装置の平面断面図および側面断面図である。
【図５】従来の自動販売機の斜視図である。
【図６】同従来の自動販売機の据付装置の斜視図である。
【図７】同従来の自動販売機の据付装置の側面断面図である。
【図８】従来のその他の自動販売機の据付装置の斜視図である。
【図９】（ａ）および（ｂ）はそれぞれ同従来の自動販売機の据付装置の断面図である。
【符号の説明】
１      自動販売機本体
１ａ    貫通孔
１ｂ    異形孔
２      レベルボルト
３      固定金具
４      アンカーボルト
５      底板
６      据付面
２０    カバー部
２１    工具
２２    ねじ
【図１】
2004318293.tif 000003
【図２】
2004318293.tif 000004
【図３】
2004318293.tif 000005
【図４】
2004318293.tif 000006
【図５】
2004318293.tif 000007
【図６】
2004318293.tif 000008
【図７】
2004318293.tif 000009
【図８】
2004318293.tif 000010
【図９】
2004318293.tif 000011